(57)【要約】【課題】夜間を問わず安定した窒素酸化物の除去効率が得られる活性炭素繊維を収納した空気浄化用活性炭素繊維収納ボックスを提供する。【解決手段】上端が開放され、前面および後面に無数の孔部が形成され、下端も無数の孔部が形成されてなる平面形状が四角形を呈し、左右の両側面に外側に突出する縦方向の角型のガイド部５を備えてなり、内部に活性炭素長繊維の綿状シートを詰めるように構成され、沿道などの設置場所に立設されるＨ型材からなる左右の支柱１８の凹部１８ａに前記ガイド部５を上から挿入して支持されるように構成した。【選択図】図７
2008261164.tif 000002
【特許請求の範囲】
【請求項１】
上端が開放され、前面および後面に無数の孔部が形成され、下端も無数の孔部が形成されてなる平面形状が四角形を呈し、左右の両側面に外側に突出する縦方向の角型のガイド部を備えてなり、内部に活性炭素長繊維の綿状シートを詰めるように構成され、沿道などの設置場所に立設されるＨ型材からなる左右の支柱の凹部に前記ガイド部を上から挿入して支持されるように構成したことを特徴とする空気浄化用活性炭素繊維収納ボックス。
【発明の詳細な説明】
【技術分野】
【０００１】
本発明は、自動車の排気ガス中に含まれる窒素酸化物の浄化を行なうための活性炭素繊維を収納した空気浄化用活性炭素繊維収納ボックスに関するものである。
【背景技術】
【０００２】
従来から空気中の窒素酸化物を除去し環境を改善させるために特許文献１に開示されているような防音壁や防音パネルなどの道路付帯設備の外面に光触媒を含有する塗膜を形成し、この光触媒によって空気中の窒素酸化物を除去するようにしたものが知られている。
【特許文献１】特開２００１−１２２６７８号公報
【発明の開示】
【発明が解決しようとする課題】
【０００３】
上記特許文献１に開示されているような道路付帯設備の外面に光触媒を含有する塗膜を形成して、光触媒によって空気中の窒素酸化物を除去するものでは、太陽光を必要とし、夜間にあっては窒素酸化物の除去効率は大幅に低下するという問題がある。
【０００４】
本発明の目的は、このような課題を解決するものであり、昼夜を問わず安定した窒素酸化物の除去効率が得られる活性炭素繊維を収納した空気浄化用活性炭素繊維収納ボックスを提供することにある。
【課題を解決するための手段】
【０００５】
本発明の請求項１に記載の空気浄化用活性炭素繊維収納ボックスは、上端が開放され、前面および後面に無数の孔部が形成され、下端も無数の孔部が形成されてなる平面形状が四角形を呈し、左右の両側面に外側に突出する縦方向の角型のガイド部を備えてなり、内部に活性炭素長繊維の綿状シートを詰めるように構成され、沿道などの設置場所に立設されるＨ型材からなる左右の支柱の凹部に前記ガイド部を上から挿入して支持されるように構成したことを特徴とする。
【発明の効果】
【０００６】
以上のように、本発明の空気浄化用活性炭素繊維収納ボックスは、沿道などに沿って設置することにより汚染物質が含まれる空気、特に自動車の排気ガスなどの中に含まれる窒素酸化物を昼夜を問わず安定した窒素酸化物の除去効率が得られる活性炭素繊維からなる綿状シートにより酸化させるとともに硝酸として繊維内部に吸着させて蓄積させ窒素酸化物の浄化作用を行なうことができる。また、本発明の空気浄化用活性炭素繊維収納ボックスは、空気抵抗を低減させるために上端、下端、前後両面において通気可能な構成となっており、汚染物質が含まれる空気を自然に取り入れることが可能である。また、活性炭素長繊維からなる綿状シートが収納されたボックスは屋外に設置されることから雨に晒されることになるが、その雨はボックスの上端や前後面からボックス内に浸入し、綿状シートの汚れを落としながらボックスの下端から流れ出て綿状シートを洗浄することが可能となる。また、ボックスは沿道などの設置場所に立設されるＨ型材からなる左右の支柱の凹部にガイド部を上から挿入して支持されるものであるので、ボックスの据え付け工事が簡単である。
【発明を実施するための最良の形態】
【０００７】
以下、本発明の一実施の形態を、図１〜図８を用いて具体的に説明する。
図において、１は活性炭素長繊維を綿状にしたものを収納するボックスで、このボックス１は平面形状が長方形（または正方形）を呈している。詳しくはこのボックス１は上下方向に向くコーナー部の４箇所に位置する縦枠２と、水平方向に向くコーナー部の８箇所に位置する横枠３と、長辺側の側面の長手方向中央部に位置する縦方向の補強材４とにより骨組を形成し、短辺側の左右の側面は外側に突出する縦方向の角型のガイド部５を備えた板体６により閉じられ、長辺側の側面は金網などの無数の孔部が形成されたメッシュ材７，８により閉じられている。なお、長辺側に位置する前面のメッシュ材７はボックス１に対してねじ止めにより着脱自在となっている。ところで、ボックス１の上端は長辺に対し直角方向に向く補強材９が長手方向に適当間隔おきに設けられて補強されており、ボックス１の上端はそのまま開口状態とされている。また、ボックス１の下端は無数の孔部が形成されたパンチングメタル板１０により閉じられている。さらに、ボックス１の上端は前記ガイド部５の部分を除き上方に膨らむ凸形状となっており、またボックス１の下端はボックス１を上に積み重ねたときに上側のボックス１の下端と下側のボックス１の上端が嵌合するように凹形状となっている。
【０００８】
前記ボックス１の内部には前記活性炭素長繊維を綿状シートにしたものを詰めてなる中ボックス１１を前記補強材４を境に左右に２つづつ並べて収納するようになっている。前記中ボックス１１は側面が板体１２により閉じられ、上下両端は金網などの無数の孔部が形成されたメッシュ材１３，１４により閉じられている。なお、中ボックス１１の前面および後面は開放状態であるが、内部に詰められた活性炭素長繊維の綿状シート１５が抜け落ちないように桟１６が設けられている。ところで、中ボックス１１に収められる綿状シート１５は厚みの中心に細い線材からなる芯材が設けられており、また綿状シート１５と綿状シート１５との間には金属線を波状に成形したスペーサー１７が介在されている。
【０００９】
このように綿状シート１５が多数並べられて詰められた中ボックス１１は前記ボックス１の前面のメッシュ材７を取り外した状態でボックス１の前面より補強材４を境に左右に２つづつ並べられた状態で収納され、その後ボックス１の前面をメッシュ材７で閉じるものである。
【００１０】
以上のように中ボックス１１が収納されたボックス１は屋外の沿道などの設置場所に立設されたＨ型材からなる支柱１８に支持される。即ち、１つのボックス１を挟む位置に支柱１８が立設され、この支柱１８の凹部１８ａにボックス１のガイド部５を上から挿入して左右の支柱１８によりボックス１が支持される。設置場所によってはボックス１は１段だけの箇所もあるが、複数断積み重ねるときは上側のボックス１の下端を下側のボックス１の上端に嵌合させるようにして図示のように積み重ねる。なお、ボックス１のガイド部５の前後の面には支柱１８の凹部１８ａとの隙間を無くすためにゴムシート（図示せず）が貼り付けられる。
【００１１】
以上のようにして沿道などに沿ってボックス１を設置することにより、自動車の排気ガスを含む空気は風の流れで自然にボックス１内を通過することになり、ボックス１内で前記活性炭素長繊維からなる綿状シート１５に触れることにより自動車の排気ガス中に含まれる窒素酸化物を綿状シート１５により酸化させるとともに硝酸として繊維内部に吸着させて蓄積させ窒素酸化物の浄化作用を行なうことができる。
【００１２】
活性炭素長繊維からなる綿状シート１５が収納されたボックス１は屋外に設置されていることから雨に晒されることになるが、その雨はボックス１の上端や前後面からボックス１内に浸入し、綿状シート１５の汚れを落としながらボックス１の下端から流れ出るものである。
【００１３】
ボックス１内の綿状シート１５が汚れて新しいものと取り替えたい場合は、前記前面のメッシュ材７を外し、汚れた綿状シート１５を収納した中ボックス１１をボックス１から取り出し、新しい綿状シート１５を収納した中ボックス１１をボックス１の中に収めて前面のメッシュ材７を装着すれば良い。
【００１４】
ところで、以上述べた実施の形態では綿状シート１５を収納した中ボックス１１をボックス１の中に収めるようにしているが、ボックス１内に綿状シート１５を直接詰め込むようにしても良い。その場合、隣り合う綿状シート１５間には前述のスペーサー１７を介在させるようにする。
【図面の簡単な説明】
【００１５】
【図１】本発明の一実施の形態におけるボックスを上方から見た斜視図である。
【図２】同ボックスを下方から見た斜視図である。
【図３】同ボックス内に収納される中ボックスを上方から見た斜視図である。
【図４】同ボックス内に収納される中ボックスを下方から見た斜視図である。
【図５】同ボックス内に中ボックスを収納する状態を示す斜視図である。
【図６】同ボックス内に中ボックスを収納した状態を示す斜視図である。
【図７】同ボックスを支柱間に設置する状態を示す斜視図である。
【図８】同ボックスを支柱間に設置した状態を示す斜視図である。
【符号の説明】
【００１６】
１          ボックス
５          ガイド部
６          板体
７，８      メッシュ材
１０          パンチングメタル板
１１          中ボックス
１２          板体
１３，１４    メッシュ材
１５          綿状シート
１７          スペーサー
１８          支柱
１８ａ        凹部
【図１】
2008261164.tif 000003
【図２】
2008261164.tif 000004
【図３】
2008261164.tif 000005
【図４】
2008261164.tif 000006
【図５】
2008261164.tif 000007
【図６】
2008261164.tif 000008
【図７】
2008261164.tif 000009
【図８】
2008261164.tif 000010